(57)【特許請求の範囲】
【請求項１】
粘着テープロール（２１）を回転自在に支持するテープロール支持部（１２）とテープ保持部（１３）及びテープ切刃部（１４）からなる粘着テープカッター本体（１１）のテープ切刃部（１４）の左右両端近傍に水平に回転自在に枢設され、ねじり下げの向きがテープカッター本体の正面から見て右側は左下がりであり左側は右下がりである一対のスクリュープロペラ（３１）が、テープ切刃部１４を覆う位置にあることを特徴とする安全粘着テープカッター。
【請求項２】
請求項１に記載の安全粘着テープカッターであり、請求項１に記載の一対のスクリュープロペラ（３１）で組み合わされる独立した器具として粘着テープカッターに着脱可能での使用が可能であることを特徴とする粘着テープカッターガードアタッチメント。
【発明の詳細な説明】
【技術分野】
【０００１】
本発明は、粘着テープロールを回転自在に支持し、該粘着テープロールから粘着テープを引き出し、前部に設けられているテープ切刃部により任意の長さに切り出すことができる粘着テープカッターにおいて、テープ切刃によって指等を傷つけることがないようにテープ切刃部の上部に取り付ける安全粘着テープカッターに関するものである。
【背景技術】
【０００２】
従来粘着テープカッターは、本体に粘着テープロールを回転自在に支持する部分、その前方上部に引き出した粘着テープを保持する部分および本体前面の上部に粘着テープを切断する切刃部分で構成される。
【０００３】
従来、粘着テープカッターはテープ切刃部分が本体前面の上部にあり、切刃が露出しているため、使用者または周囲の者が不注意その他の理由によって指等を傷つける恐れがあった。
【０００４】
そこで、近年では粘着テープカッターの切刃部の安全対策としての粘着テープカッターガードが紹介されている。本願発明に関連する公知技術として特許文献１、２、及び３を挙げることができる。
【特許文献１】特開２００６−２９０５７２号公報
【特許文献２】特開２００７−１４５５７６号公報
【特許文献３】特開２００８−１９５４６５号公報
【発明の開示】
【発明が解決しようとする課題】
【０００５】
特許文献１に記載された「テープカッター」は、刃とは別体のテープ着留部を上下に摺動できるように設け、その着留部に連動して開閉する一対のアーム状の刃先ガードを着留部の両脇に設けたこと、また着留部と共に上下するプレート状の刃先ガードを刃の手前に設けたこと等を特徴としている。
【０００６】
前述の「テープカッター」は、本体内部に複雑な機構を設けてあるため、製造コストが高く普及の障害となる可能性がある。
【０００７】
特許文献２に記載された「テープの切断構造」は、切断刃に隣接して設けられたガード部がテープの切断時にテープの押されて退き可能に設けられていることを特徴としている。
【０００８】
前述の「テープの切断構造」は、切断時にテープの押されて退き可能に設けられているガード部はゴムリングによって常に上方向に対抗していることから、テープに押されてもテープがガード部に貼着する可能性や粘着テープが切断しづらい可能性がある。
【０００９】
特許文献３に記載された「安全テープカッター」は、切断刃を安全に覆う柔軟で弾力性を有する略半円筒形状の切り欠きを有する保護具が付設されていることを特徴としている。
【００１０】
前述の「安全テープカッター」は、特許文献２に記載の「テープの切断構造」に同様のテープが保護具に貼着する可能性や粘着テープが切断しづらい可能性がある。
【００１１】
また、特許文献１，２および３は共通していることとしては、本体の前後の方向からの指等の動きに対してはその保護は可能であるが、本体の上方左右からの指等の動きに対して切断刃から保護する機能が弱いように思われる。
【００１２】
本発明は、このような点に鑑みてなされたものである。その目的は、従来の粘着テープカッターはテープ切刃部分が本体前面の上部にあり、切刃が露出しているため、使用者または周囲の者が不注意その他の理由によって指等を傷つける恐れがあったが、粘着テープがガードに貼着することや粘着テープが切断しづらいことがなく、使用者や周囲の者の前後左右上方のあらゆる方向からの指等の動きに対して切断刃から保護することができることにある。
【課題を解決するための手段】
【００１３】
粘着テープロール２１を回転自在に支持するテープロール支持部１２とテープ保持部１３及びテープ切刃部１４からなる粘着テープカッター本体１１のテープ切刃部１４の左右両端近傍に水平に回転自在に枢設され、ねじり下げの向きがテープカッター本体の正面から見て右側は左下がりであり左側は右下がりである一対のスクリュープロペラ３１が、テープ切刃部１４を覆う位置にあることを特徴とする。
【００１４】
上述の粘着テープカッターであり、一対のスクリュープロペラ３１で組み合わされる独立した器具として粘着テープカッターに着脱可能での使用が可能であることを特徴とする。
【発明の効果】
【００１５】
以上説明したように、粘着テープカッターは幼児や小学生等の子供たちの使用の機会も多いが、切刃部１４が露出しているため指等を傷つける恐れが大きかった。しかし、本発明によればスクリュープロペラ３１が切刃部１４を覆っていることから上方からの指等の衝打、またスクリュープロペラ３１の先端によって水平方向からの指等の衝打に対して、切刃部１４に突くことがなく、工作教育や事務作業、及び家事等の生活の様々な場面にて便利な生活用品である粘着テープカッターを安全に安心にして使用することが可能となる。      
【００１６】
また本発明は、構成部品が少なく単純な構造のため安価に提供することができる。  
【発明を実施するための最良の形態】
【００１７】
以下、本発明の実施の形態を図面に基づき詳細に説明する。
【００１８】
図１は本発明の実施の形態に係る安全粘着テープカッターの斜視図である。図２〜図４は本発明の使用の際の一連の動作、使用者の指の動作及び粘着テープの挙動を示した使用説明斜視図である。図５は安全粘着テープカッターの分解斜視図である。図６は本発明の第２の実施の形態に掛かる粘着テープカッターアタッチメントである。図７〜９図は粘着テープとスクリュープロペラの関係平面図である。
【００１９】
図１に示すように、本発明粘着テープカッターは、粘着テープロール２１を回転自在に支持するテープロール支持部１２と粘着テープカッター本体１１の前方上部にテープ保持部１３およびテープ切刃部１４からなり、テープ切刃部１４の左右両端近傍に水平に回転自在に枢設され、ねじり下げの向きがテープカッター本体の正面から見て右側は左下がりであり左側は右下がりである一対のスクリュープロペラ３１を設けている。      
【００２０】
以下に図２、図３、図４、図５、図６、図７、図８、図９の順序で、本発明の使用の際の一連の動作、スクリュープロペラ３１、ブレード３２の働き、粘着テープ２２の挙動を説明する。
【００２１】
図２に示すように、粘着テープ２２は使用者の親指４１及び人差し指４２に摘まれ、テープカッター本体１１の上方に引き出され、必要な長さに引き伸ばされる。この時、粘着テープ２２はスクリュープロペラ３１のブレード３２の高い位置の一部に貼着し、引き出されることによってスクリュープロペラ３１は回転自在に枢設されているために、粘着テープ２２の貼着により引きずられ、テープカッター本体１１の上方から見て右側のスクリュープロペラ３１は反時計回りに、左側のスクリュープロペラ３１は時計回りに少しだけ回転する。その際粘着テープ２２はスクリュープロペラ３１の回転によりブレード３２のねじり下げに従いその位置をやや下げる、この後スクリュープロペラ３１の回転により回ってくる次のブレード３２は粘着テープ２２の上に覆い被さる。
【００２２】
図３に示すように、粘着テープ２２を切断するため下方に引き降ろされる。この時粘着テープ２２はねじり下げに従い下降した後、スクリュープロペラ３１のブレード３２の後端から脱落し、２つのスクリュープロペラ３１の下のテープ保持部１３及びテープ切刃部１４に貼着する。
【００２３】
図４に示されるように、粘着テープ２２は切断するために引き降ろされ続けると、テープ切刃部１４によって切断される。
【００２４】
図５に示すように、スクリュープロペラ３１の形状は、航空機のエンジンの出力を推進力へと変換するための装置である「プロペラ」の形状を縮小したものではなく、船舶のエンジンの出力を推進力へと変換するための装置である「スクリュープロペラ」の形状を縮小した形状のものが適当である。その理由は使用者の指等が衝打したときに痛みや傷つけることの恐れが少ないためと、粘着テープ２２を引き出した際にスムーズにスクリュープロペラ３１にかかるためである。また、スクリュープロペラ３１の取り付けは図のように粘着テープ２２を引き出しやすいようにやや前方にオフセットして取り付けることが可能である。
【００２５】
図６に示されるのは、一対のスクリュープロペラ３１で組み合わされる独立した器具として粘着テープカッターに着脱可能での使用が可能であることを特徴とする粘着テープカッターガードアタッチメント３３である。
【００２６】
図７に示されるのは、粘着テープ２２が引き出されスクリュープロペラ３１の上にある状態である。
【００２７】
図８は、粘着テープ２２がスクリュープロペラ３１のブレード３２の高い位置にある一部に貼着しそのまま引き出されることによって、スクリュープロペラ３１は回転自在に枢設されているため、粘着テープ２２の貼着力により引きずられ、テープカッター本体１１の上方から見て右側のスクリュープロペラ３１は反時計回りに、左側のスクリュープロペラ３１は時計回りに図上の矢印のように少しだけ回転する。その際粘着テープ２２はスクリュープロペラ３１の回転によりブレード３２のねじり下げに従いその位置をやや下げる。これによって、この後スクリュープロペラ３１の回転により回ってくる次のブレード３２が粘着テープ２２の上に覆い被さる状態を示している。
【００２８】
図９に示されるのは、粘着テープ２２が図７に引き続いて引き出されることでスクリュープロペラ３１の図上の矢印のような回転により、スクリュープロペラ３１のブレード３２から脱落した状態である。
【実施例】
【００２９】
粘着テープカッター本体の幅４０ｍｍ高さ１００ｍｍ長さ２２０ｍｍ、テープ切刃部１４の幅３５ｍｍのとき、スクリュープロペラ３１の直径は２５ｍｍ位。スクリュープロペラ３１のブレードの厚みは０．５〜１．０ｍｍ程。スクリュープロペラ３１のブレードの数は６枚である。     
【図面の簡単な説明】
【００３０】
【図１】本発明の実施の形態に係る粘着テープカッターガードの外観斜視図である。
【図２】本発明の使用の際の一連の動作の始めの本発明の動作及び粘着テープの挙動を示した使用説明斜視図である。
【図３】同じく２番目の使用説明斜視図である。
【図４】同じく３番目の使用説明斜視図である。
【図５】本発明の実施の形態に係る粘着テープカッターガードの外観斜視分解図である。
【図６】本発明の第２の実施の形態に係る粘着テープカッターガードアタッチメントである。
【図７】粘着テープとスクリュープロペラの１番目の関係平面図である。
【図８】粘着テープとスクリュープロペラの２番目の関係平面図である。
【図９】粘着テープとスクリュープロペラの３番目の関係平面図である。
【符号の説明】
【００３１】
１１    粘着テープカッター本体
１２    テープロール支持部
１３    テープ保持部
１４    テープ切刃部
２１    粘着テープロール
２２    粘着テープ   
３１    スクリュープロペラ
３２    ブレード
４１    粘着テープカッターガードアタッチメント
【要約】      （修正有）【課題】粘着テープカッターに粘着テープを切断する際に切断の障害とならないような機能を持つガードを取り付けることで、テープ切刃に使用者の指等が当たることによる人体への痛みや創傷しないようにする。【解決手段】粘着テープロール２１を回転自在に支持するテープロール支持部１２とテープ保持部１３テープ切刃部１４からなる粘着テープカッター本体１１のテープ切刃部１４の左右両端近傍に水平に回転自在に枢設され、ねじり下げの向きがテープカッター本体の正面から見て右側は左下がりであり左側は右下がりである一対のスクリュープロペラ３１を設けたことを特徴とする安全粘着テープカッター。【選択図】図５【図１】
0004318088.tif 000002
【図２】
0004318088.tif 000003
【図３】
0004318088.tif 000004
【図４】
0004318088.tif 000005
【図５】
0004318088.tif 000006
【図６】
0004318088.tif 000007
【図７】
0004318088.tif 000008
【図８】
0004318088.tif 000009
【図９】
0004318088.tif 000010